(57)【要約】【課題】日付を好適に指示することができるマーカーを備えた日付マーカー付きカレンダーを実現する。【解決手段】日付マーカー付きカレンダー１００が備えている日付マーカー２０の第１マーカー２１と第２マーカー２２の一方には磁石２３が埋設され、他方には磁石２３又は強磁性体が埋設されているので、第１マーカー２１と第２マーカー２２とでカレンダー用紙１０を挟んだ状態で、磁石２３の磁力によって第１マーカー２１と第２マーカー２２をカレンダー用紙１０に着接することができ、またその着脱を繰り返し行うことができる。そして、磁石２３の磁力を利用してカレンダー用紙１０に取り付けた日付マーカー２０の位置は任意に移動させることができるので、日付マーカー２０の第１マーカー２１でカレンダーの日付のいずれかを指し示すように調整することで、所望する日付を好適に指示することができる。【選択図】図１
2018192682.tif 000002
【特許請求の範囲】
【請求項１】
暦に関する日付が記載されている１枚又は複数枚綴りのカレンダー用紙と、前記カレンダー用紙に着脱可能に取り付けられる日付マーカーと、を備えた日付マーカー付きカレンダーであって、
前記日付マーカーは、前記日付のいずれかを指示するために前記カレンダー用紙の表面側に取り付けられる第１マーカーと、前記カレンダー用紙の裏面側に取り付けられる第２マーカーと、を備え、
前記第１マーカーと前記第２マーカーの一方には磁石が埋設されており、他方には磁石又は強磁性体が埋設されていることを特徴とする日付マーカー付きカレンダー。
【請求項２】
前記第１マーカーと前記第２マーカーにおける前記カレンダー用紙と接する面には、平滑性を有するシート材が配設されていることを特徴とする請求項１に記載の日付マーカー付きカレンダー。
【請求項３】
前記第１マーカーは、当該第１マーカーが指示する日付を囲う枠形状を有していることを特徴とする請求項１又は２に記載の日付マーカー付きカレンダー。
【請求項４】
前記第２マーカーは、前記第１マーカーの枠内に内接する形状を有していることを特徴とする請求項３に記載の日付マーカー付きカレンダー。
【請求項５】
前記第２マーカーは、円板形状を有しており、その円の中心に相当する位置に磁石又は強磁性体が埋設されていることを特徴とする請求項１〜４のいずれか一項に記載の日付マーカー付きカレンダー。
【発明の詳細な説明】
【技術分野】
【０００１】
本発明は、日付を指示するためのマーカーを備えた日付マーカー付きカレンダーに関する。
【背景技術】
【０００２】
従来、カレンダーの日付などを指示するために、カレンダーの表面に密着させて使用する表示具が知られている（例えば、特許文献１参照。）。
この表示具は、粘着性の大きい軟質樹脂材料からなり、カレンダーの表面への着脱を繰り返し行うことが可能になっている。
【０００３】
また、カレンダーの台紙の裏側に鉄板を取り付けたり、カレンダーの台紙に鉄粉などの強磁性体を含有させたりして、カレンダー表面にマグネットが付着するようにしたものが知られている（例えば、特許文献２参照。）。
【先行技術文献】
【特許文献】
【０００４】
【特許文献１】特開２００４−２１２６３０号公報
【特許文献２】特開２００８−１２６６５４号公報
【発明の概要】
【発明が解決しようとする課題】
【０００５】
しかしながら、上記特許文献１の表示具の場合、カレンダー用紙がよれたり曲がったりして、カレンダーの表面が平坦でなくなると脱落してしまうことがあった。
また、表示具の樹脂材料が劣化によって硬化したり、表示具自体に埃や汚れが付着したりすると、その粘着性が低下して表示具がカレンダーの表面に貼り付かなくなってしまうことがあった。
【０００６】
また、上記特許文献２のカレンダーのように、カレンダーの台紙の裏側に鉄板を取り付けるとその重量が増してしまい、壁掛け用カレンダーには不向きになるという問題があった。
また、カレンダーの台紙に強磁性体（鉄粉）を含有させると、台紙のコストが増大するので、カレンダーの製造コストが増大してしまう問題があった。
【０００７】
本発明の目的は、日付を好適に指示することができるマーカーを備えた日付マーカー付きカレンダーを提供することである。
【課題を解決するための手段】
【０００８】
以上の課題を解決するため、請求項１に記載の発明は、
暦に関する日付が記載されている１枚又は複数枚綴りのカレンダー用紙と、前記カレンダー用紙に着脱可能に取り付けられる日付マーカーと、を備えた日付マーカー付きカレンダーであって、
前記日付マーカーは、前記日付のいずれかを指示するために前記カレンダー用紙の表面側に取り付けられる第１マーカーと、前記カレンダー用紙の裏面側に取り付けられる第２マーカーと、を備え、
前記第１マーカーと前記第２マーカーの一方には磁石が埋設されており、他方には磁石又は強磁性体が埋設されていることを特徴とする。
【０００９】
請求項１に記載の発明によれば、第１マーカーと第２マーカーの一方には磁石が埋設され、他方には磁石又は強磁性体が埋設されているので、第１マーカーと第２マーカーとでカレンダー用紙を挟んだ状態で、磁石の磁力によって第１マーカーと第２マーカーをカレンダー用紙に着接することができ、またその着脱を繰り返し行うことができる。
そして、磁石の磁力を利用してカレンダー用紙に取り付けた日付マーカーの位置は任意に移動させることができるので、日付マーカーの第１マーカーでカレンダーの日付のいずれかを指し示すように調整することで、所望する日付を好適に指示することができる。
【００１０】
請求項２に記載の発明は、請求項１に記載の日付マーカー付きカレンダーにおいて、
前記第１マーカーと前記第２マーカーにおける前記カレンダー用紙と接する面には、平滑性を有するシート材が配設されていることを特徴とする。
【００１１】
請求項２に記載の発明によれば、第１マーカーと第２マーカーにおけるカレンダー用紙と接する面に平滑性を有するシート材が配設されているので、第１マーカーと第２マーカーとでカレンダー用紙を挟んだ状態で、第１マーカーと第２マーカーをそれぞれカレンダー用紙の面に沿って好適に滑らせて移動させることができる。
つまり、磁石の磁力によってカレンダー用紙の表裏にそれぞれ着接させた第１マーカーと第２マーカーのいずれか一方をカレンダー用紙の面に沿って移動させると他方はそれに追従するようにカレンダー用紙の面に沿って好適に移動させることができるので、日付マーカーの第１マーカーで指し示すカレンダーの日付の切り替えを容易に行うことができる。
【００１２】
請求項３に記載の発明は、請求項１又は２に記載の日付マーカー付きカレンダーにおいて、
前記第１マーカーは、当該第１マーカーが指示する日付を囲う枠形状を有していることを特徴とする。
【００１３】
請求項３に記載の発明によれば、カレンダーの日付を第１マーカーで囲って強調するように、所望する日付を好適に指示することができる。
【００１４】
請求項４に記載の発明は、請求項３に記載の日付マーカー付きカレンダーにおいて、
前記第２マーカーは、前記第１マーカーの枠内に内接する形状を有していることを特徴とする。
【００１５】
請求項４に記載の発明によれば、第２マーカーは第１マーカーの枠内に内接する形状を有しているので、日付マーカーを構成する材料から第２マーカーを型抜きするようにして、第１マーカーを形成することができる。こうすることで材料の無駄を省くように、効率よく第１マーカーと第２マーカーを作ることができる。
【００１６】
請求項５に記載の発明は、請求項１〜４のいずれか一項に記載の日付マーカー付きカレンダーにおいて、
前記第２マーカーは、円板形状を有しており、その円の中心に相当する位置に磁石又は強磁性体が埋設されていることを特徴とする。
【００１７】
請求項５に記載の発明によれば、磁石の磁力によってカレンダー用紙の表裏に第１マーカーと第２マーカーを着接させた状態で、第１マーカーをカレンダー用紙の表面に沿って移動させる際、第２マーカーは第１マーカーに追従するようにカレンダー用紙の裏面に沿って好適に移動するようになる。
例えば、第２マーカーの円の中心からずれた位置に磁石が埋設されていると、第２マーカーが第１マーカーに追従して移動する際、第２マーカーの外縁と磁石が埋設されている位置との距離が短い部分が移動方向の前方になるように第２マーカーの向きがずれるように変わることがあるので、その移動がスムーズでなくなるので好ましくない。
また、第２マーカーが円板形状でない場合も同様に、第２マーカーが第１マーカーに追従して移動する際、第２マーカーの外縁と磁石が埋設されている位置との距離が短い部分が移動方向の前方になるように第２マーカーの向きがずれるように変わることがあるので、その移動がスムーズでなくなるので好ましくない。
【発明の効果】
【００１８】
本発明によれば、カレンダーの日付を好適に指示することができるマーカーを備えた日付マーカー付きカレンダーが得られる。
【図面の簡単な説明】
【００１９】
【図１】本実施形態の日付マーカー付きカレンダーを示す正面図（ａ）と側面図（ｂ）である。
【図２】日付マーカーを示す正面図（ａ）と側面図（ｂ）と斜視図（ｃ）である。
【図３】日付マーカーの第１マーカーを示す分解斜視図（ａ）と、日付マーカーの第２マーカーを示す分解斜視図（ｂ）である。
【図４】第１マーカーと第２マーカーをそれぞれカレンダー用紙の表裏に取り付ける態様の一例を示す斜視図である。
【図５】日付マーカーの第１マーカーの表側の一例を示す斜視図（ａ）と、その裏側の一例を示す斜視図（ｂ）である。
【図６】日付マーカーの一例を示す斜視図である。
【発明を実施するための形態】
【００２０】
以下、図面を参照して、本発明に係る日付マーカー付きカレンダーの実施形態について詳細に説明する。但し、以下に述べる実施形態には、本発明を実施するために技術的に好ましい種々の限定が付されているが、本発明の範囲を以下の実施形態及び図示例に限定するものではない。
【００２１】
図１（ａ）は、本実施形態の日付マーカー付きカレンダー１００を示す正面図であり、図１（ｂ）は、その側面図である。
日付マーカー付きカレンダー１００は、例えば、図１（ａ）（ｂ）に示すように、暦に関する日付が記載されている複数枚綴りのカレンダー用紙１０と、カレンダー用紙１０に着脱可能に取り付けられる日付マーカー２０と、を備えている。
【００２２】
カレンダー用紙１０は、その表側の面に暦の情報が印刷されている洋紙である。
複数枚のカレンダー用紙１０は、その上縁が綴じ具３０によって綴じられている。
本実施形態の日付マーカー付きカレンダー１００は、例えば１ヶ月カレンダーであり、１月から１２月までの１２枚のカレンダー用紙１０が綴じ具３０で綴じられており、使用済みとなった先月分のカレンダー用紙１０を１枚ずつ切り離すことが可能になっている。
【００２３】
綴じ具３０は、例えば、金属材料、樹脂材料あるいは紙材料からなり、複数枚のカレンダー用紙１０を切り離し可能に保持している。
なお、綴じ具３０は、カレンダー用紙１０を切り離し可能に保持するものに限らず、例えば、複数のリング部を備えた綴じ具であって、複数枚のカレンダー用紙１０を回動可能に保持し、使用済みのカレンダー用紙１０を前面側から背面側へ移動可能に綴じている綴じ具であってもよい。
【００２４】
日付マーカー２０は、例えば、図２（ａ）（ｂ）（ｃ）に示すように、カレンダーの日付のいずれかを指示するためにカレンダー用紙１０の表面側に取り付けられる第１マーカー２１と、カレンダー用紙１０の裏面側に取り付けられる第２マーカー２２と、を備えている。
この第１マーカー２１と第２マーカー２２の一方には磁石が埋設されており、他方には磁石又は強磁性体が埋設されている。
本実施形態では、第１マーカー２１と第２マーカー２２の両方にネオジム磁石などの磁石２３が埋設されている。
第１マーカー２１と第２マーカー２２にそれぞれ磁石２３が埋設されているので、第１マーカー２１と第２マーカー２２とでカレンダー用紙１０を挟んだ状態で、磁石２３の磁力によって第１マーカー２１と第２マーカー２２をカレンダー用紙１０に着接することができ、またその着脱を繰り返し行うことができる。
なお、第１マーカー２１に磁石が埋設され、第２マーカー２２に強磁性体が埋設されていてもよく、また、第１マーカー２１に強磁性体が埋設され、第２マーカー２２に磁石が埋設されていてもよい。
【００２５】
具体的には、第１マーカー２１と第２マーカー２２は、例えば、図３（ａ）（ｂ）に示すように、ポリスチレン樹脂（発泡スチレン）などの樹脂材料からなるマーカー本体２１ａ，２２ａと、マーカー本体２１ａ，２２ａに形成されている貫通孔２１ｂ，２２ｂに埋設された磁石２３と、その貫通孔２１ｂ，２２ｂを塞ぐようにマーカー本体２１ａ，２２ａの両面に貼付されたシート材２４等を備えている。
【００２６】
シート材２４は、例えば光沢紙であり、平滑性を有している。
このシート材２４は、第１マーカー２１と第２マーカー２２におけるカレンダー用紙１０と接する面に配設されている。
平滑性を有するシート材２４が第１マーカー２１と第２マーカー２２の両面に配設されているので、第１マーカー２１と第２マーカー２２とでカレンダー用紙１０を挟んだ状態で、第１マーカー２１と第２マーカー２２をそれぞれカレンダー用紙１０の面に沿って好適に滑らせて移動させることができる。
つまり、磁石２３の磁力によってカレンダー用紙１０の表裏にそれぞれ着接させた第１マーカー２１と第２マーカー２２のいずれか一方をカレンダー用紙１０の面に沿って移動させると他方はそれに追従するようにカレンダー用紙１０の面に沿って好適に移動する。
また、例えば図４に示すように、第１マーカー２１と第２マーカー２２を磁石２３の磁力でくっつけた状態で、第１マーカー２１と第２マーカー２２の間にカレンダー用紙１０を挟み入れるように、第１マーカー２１と第２マーカー２２をそれぞれカレンダー用紙１０の表裏に取り付けることもできる。
なお、シート材２４は、マーカー本体２１ａ，２２ａの貫通孔２１ｂ，２２ｂに埋設されている磁石２３の抜け止め部材としての機能も有している。
【００２７】
第１マーカー２１は、当該第１マーカー２１で指示する日付を囲う枠形状を有している。例えば、図１（ａ）における第１マーカー２１は「１月１６日」を囲って指し示している。
本実施形態の第１マーカー２１は、円環形状を有している。
【００２８】
第２マーカー２２は、第１マーカー２１の枠内に内接する形状を有している。
つまり、日付マーカー２０を構成する第１マーカー２１と第２マーカー２２は、日付マーカー２０を構成する材料から第２マーカー２２が型抜きされて、第１マーカー２１が形成されている。こうすることで、ポリスチレン樹脂（発泡スチレン）などの材料の無駄を省くように、効率よく第１マーカー２１と第２マーカー２２を作ることができる。
なお、ポリスチレン樹脂（発泡スチレン）などの材料にシート材を貼付した後に型抜きするようにしても、ポリスチレン樹脂（発泡スチレン）などの材料を型抜きした後、それぞれにシート材を貼付するようにしてもよい。
本実施形態の第２マーカー２２は、円板形状を有している。
【００２９】
特に、円板形状を有している第２マーカー２２には、その円の中心に相当する位置に磁石２３（あるいは強磁性体）が埋設されている。
こうすることで、磁石２３の磁力によってカレンダー用紙１０の表裏に第１マーカー２１と第２マーカー２２を着接させた状態で、第１マーカー２１をカレンダー用紙１０の面に沿って移動させる際、第２マーカー２２は第１マーカー２１に追従するようにカレンダー用紙１０の面に沿って好適に移動するようになる。
【００３０】
例えば、第２マーカー２２の円の中心からずれた位置に磁石２３が埋設されていると、第２マーカー２２が第１マーカー２１に追従して移動する際、第２マーカー２２の外縁と磁石２３が埋設されている位置との距離が短い部分が移動方向の前方になるように第２マーカー２２の向きがずれるように変わることがあるので、その移動がスムーズでなくなる。
また、第２マーカー２２が円板形状でない場合も同様に、第２マーカー２２が第１マーカー２１に追従して移動する際、第２マーカー２２の外縁と磁石２３が埋設されている位置との距離が短い部分が移動方向の前方になるように第２マーカー２２の向きがずれるように変わることがあるので、その移動がスムーズでなくなる。
つまり、第２マーカー２２は円板形状を有し、その円の中心に相当する位置に磁石２３が埋設されている場合が、第１マーカー２１に追従する第２マーカー２２の移動が最もスムーズになるので好ましい。
【００３１】
このように、本実施形態の日付マーカー付きカレンダー１００であれば、日付マーカー２０をカレンダー用紙１０に取り付け、その日付マーカー２０の第１マーカー２１でカレンダーの日付を囲って指示することができる。
そして、第１マーカー２１を掴んでカレンダー用紙１０の表面に沿って移動させると、第２マーカー２２は第１マーカー２１に追従するようにカレンダー用紙１０の裏面に沿って移動するので、指し示す日付の位置に日付マーカー２０を容易に移動させることができる。
こうして日付マーカー２０を毎日移動させて、当日の日付を強調するように指示すれば、日付マーカー付きカレンダー１００を見ることで日付の確認ができるので、日付に関する思い違いや勘違いなどを防ぐことが可能になる。
【００３２】
なお、日付マーカー２０をカレンダー用紙１０に取り付けて、当日の日付を認識し易くすることについて上述したが、本発明は上記実施形態に限られるものではない。
例えば、第１マーカー２１に貼付するシート材２４に文字や図柄などをプリントしておき、その文字や図柄によってカレンダーの日付を強調するために、日付マーカー２０をカレンダー用紙１０に取り付けて使用してもよい。
このとき、第１マーカー２１や第２マーカー２２の表裏に異なるシート材２４を貼付すれば、リバーシブルの日付マーカー２０となる。
例えば、図５（ａ）（ｂ）に示すように、第１マーカー２１の表側に「誕生日」と印字されたシート材２４を貼付し、第１マーカー２１の裏側に「特売日」と印字されたシート材２４を貼付しておけば、誕生日などの記念日の日付を強調したり、うっかり忘れがちな特売日の日付を強調したりする目印として、日付マーカー２０を使用することができる。なお、図５中、マーカーに埋設した磁石２３の図示は省略している。
また、第１マーカー２１に貼付するシート材２４にプリントされる文字や図柄などは任意であり、「お休み」「給料日」「締切日」「食事会・飲み会」など、用途に応じたシート材２４が貼付された日付マーカー２０を各種用意しておけばよい。
つまり、カレンダー用紙１０に取り付けて使用する日付マーカー２０は１つであることに限らず、２つ以上の日付マーカー２０をカレンダー用紙１０に取り付けて使用するようにしてもよい。
【００３３】
また、例えば、図６に示すように、第１マーカー２１や第２マーカー２２に貼付するシート材２４に、日付マーカー付きカレンダー１００を宣伝用に製作した企業の社名、電話番号、ＵＲＬ、あるいはロゴマークなどをプリントしておくようにしてもよい。なお、図６中、マーカーに埋設した磁石２３の図示は省略している。
また、アニメキャラクターや人気タレントのカレンダーである場合、第１マーカー２１や第２マーカー２２に貼付するシート材２４に、キャラクターのイラストやタレントの写真などをプリントしておくようにしてもよい。
【００３４】
なお、以上の実施の形態においては、第１マーカー２１は円環形状を有し、第２マーカー２２は円板形状を有しているとしたが、本発明はこれに限定されるものではなく、それらの形状は任意である。
例えば、第１マーカー２１は、カレンダー用紙１０の日付の枡目に対応した矩形枠形状を有していたり、アニメキャラクターなどのカレンダーに対応させてネズミやネコなどの輪郭を模した枠形状を有していたりしてもよい。
【００３５】
また、以上の実施の形態においては、日付マーカー２０の第１マーカー２１をカレンダー用紙１０の表面に取り付けて使用する場合を例に説明したが、本発明はこれに限定されるものではなく、日付マーカー２０の第２マーカー２２をカレンダー用紙１０の表面に取り付けて使用してもよい。
【００３６】
また、日付マーカー付きカレンダー１００は、１ヶ月カレンダーであることに限らず、１紙面に印刷されているカレンダーの月数は任意であり、例えば２か月分、３か月分、６か月分、１２か月分のカレンダーが印刷されているものでもよい。
【００３７】
また、その他、具体的な細部構造等についても適宜に変更可能であることは勿論である。
【符号の説明】
【００３８】
１０    カレンダー用紙
２０    日付マーカー
２１    第１マーカー
２２    第２マーカー
２１ａ，２２ａ  マーカー本体
２１ｂ，２２ｂ  貫通孔
２３    磁石
２４    シート材
３０    綴じ具
１００  日付マーカー付きカレンダー
【図１】
2018192682.tif 000003
【図２】
2018192682.tif 000004
【図３】
2018192682.tif 000005
【図４】
2018192682.tif 000006
【図５】
2018192682.tif 000007
【図６】
2018192682.tif 000008